(57)【要約】【課題】電力消費効率を向上させることができる画像形成システムを提供する。【解決手段】バイパス搬送部１８０，２８０は、メイン搬送路とは別の搬送路であって画像形成部を経由しないバイパス搬送路に用紙を搬送させる。制御部１１０，２１０は、複数の画像形成装置１００，２００のうちの自機以外の他機のバイパス搬送部１８０，２８０を制御する。【選択図】図２
2014071181.tif 000002
【特許請求の範囲】
【請求項１】
複数の画像形成装置を直列に配置し、前記複数の画像形成装置にて用紙に対してそれぞれ画像の形成を行う画像形成システムであって、
前記複数の画像形成装置は、それぞれ、
用紙に画像を形成する画像形成部と、
前記画像形成部に用紙を搬送させるメイン搬送路と、
を備えるとともに、前記複数の画像形成装置の少なくとも何れかに、
前記メイン搬送路とは別の搬送路であって前記画像形成部を経由しないバイパス搬送路に用紙を搬送させるバイパス搬送部と、
前記複数の画像形成装置のうちの自機以外の他機の前記バイパス搬送部を制御する制御部と、
を備えたことを特徴とする画像形成システム。
【請求項２】
前記複数の画像形成装置は、自機以外の他機のバイパス搬送部に電源の供給を行う電源部を備えたことを特徴とする請求項１に記載の画像形成システム。
【請求項３】
前記複数の画像形成装置に用紙を供給する給紙装置と、
前記複数の画像形成装置によって画像が形成された用紙に所定の後処理を施す後処理装置と、
を備え、
前記複数の画像形成装置のうち画像形成部を動作させる画像形成装置の制御部は、前記給紙装置及び前記後処理装置を制御することを特徴とする請求項１又は２に記載の画像形成システム。
【請求項４】
前記複数の画像形成装置は、単色にて用紙に画像を形成するモノクロ画像形成部を備えたモノクロ画像形成装置と、複数色にて用紙に画像を形成するカラー画像形成部を備えたカラー画像形成装置とを含み、
前記モノクロ画像形成装置及び前記カラー画像形成装置の何れか一方の画像形成装置の制御部は、他方の画像形成装置の前記バイパス搬送部を制御することを特徴とする請求項１〜３の何れか一項に記載の画像形成システム。
【請求項５】
前記モノクロ画像形成装置及び前記カラー画像形成装置の何れか一方の画像形成装置の画像形成部を動作させるとき、当該動作させる画像形成装置の画像形成部への電源の供給を行うとともに他方の画像形成装置のバイパス搬送部の制御を行う一方、他方の画像形成装置の画像形成部への電源の供給を停止させることを特徴とする請求項４に記載の画像形成システム。
【請求項６】
複数色による画像形成を行うカラー画像形成ジョブと、単色による画像形成を行うモノクロ画像形成ジョブと、複数色による画像形成及び単色による画像形成が混載したカラーモノクロ混載画像形成ジョブとを実行可能であり、
複数のジョブの予約を受け付け、該予約を受け付けた複数のジョブの実行順序を前記モノクロ画像形成装置及び前記カラー画像形成装置の動作状態に応じて入れ替えるジョブ実行制御部を備えたことを特徴とする請求項４又は５に記載の画像形成システム。
【発明の詳細な説明】
【技術分野】
【０００１】
本発明は、画像形成システムに関する。
【背景技術】
【０００２】
従来、用紙に画像を形成するプリンターや複写機等の画像形成装置を直列に複数台連結して配置し、生産性を向上させるようにした画像形成システムが知られている。この画像形成システムでは、例えば、単色にて用紙に画像を形成するモノクロ画像形成装置と、複数色にて用紙に画像を形成するカラー画像形成装置とを直列に配置して運用した場合には、用紙を供給する給紙装置や、画像が形成された用紙に所定の後処理を行う後処理装置を接続する場合、それぞれ１台ずつ設置することで済み、製品コストの低減を図ることができる。
【０００３】
このような画像形成システムにおいて、２台の画像形成装置のうちの用紙搬送下流側に配置された画像形成装置に、その内部をバイパスする用紙バイパス部を備えるようにしたものがある（例えば、特許文献１）。
【先行技術文献】
【特許文献】
【０００４】
【特許文献１】特開２００６−５８８８１号公報
【発明の概要】
【発明が解決しようとする課題】
【０００５】
しかしながら、上記特許文献１に記載の画像形成システムでは、画像形成装置内部を用紙バイパス部によってバイパスさせる場合であっても、当該用紙バイパス部を備えた画像形成装置がこの動作を制御する必要があり、画像形成システムを稼働させるための電力を余分に消耗してしまうため、電力消費効率がよくないという問題がある。
【０００６】
本発明の課題は、電力消費効率を向上させることができる画像形成システムを提供することである。
【課題を解決するための手段】
【０００７】
以上の課題を解決するため、請求項１に記載の発明は、複数の画像形成装置を直列に配置し、前記複数の画像形成装置にて用紙に対してそれぞれ画像の形成を行う画像形成システムであって、
前記複数の画像形成装置は、それぞれ、
用紙に画像を形成する画像形成部と、
前記画像形成部に用紙を搬送させるメイン搬送路と、
を備えるとともに、前記複数の画像形成装置の少なくとも何れかに、
前記メイン搬送路とは別の搬送路であって前記画像形成部を経由しないバイパス搬送路に用紙を搬送させるバイパス搬送部と、
前記複数の画像形成装置のうちの自機以外の他機の前記バイパス搬送部を制御する制御部と、
を備えたことを特徴とする。
【０００８】
請求項２に記載の発明は、請求項１に記載の画像形成システムにおいて、
前記複数の画像形成装置は、自機以外の他機のバイパス搬送部に電源の供給を行う電源部を備えたことを特徴とする。
【０００９】
請求項３に記載の発明は、請求項１又は２に記載の画像形成システムにおいて、
前記複数の画像形成装置に用紙を供給する給紙装置と、
前記複数の画像形成装置によって画像が形成された用紙に所定の後処理を施す後処理装置と、
を備え、
前記複数の画像形成装置のうち画像形成部を動作させる画像形成装置の制御部は、前記給紙装置及び前記後処理装置を制御することを特徴とする。
【００１０】
請求項４に記載の発明は、請求項１〜３の何れか一項に記載の画像形成システムにおいて、
前記複数の画像形成装置は、単色にて用紙に画像を形成するモノクロ画像形成部を備えたモノクロ画像形成装置と、複数色にて用紙に画像を形成するカラー画像形成部を備えたカラー画像形成装置とを含み、
前記モノクロ画像形成装置及び前記カラー画像形成装置の何れか一方の画像形成装置の制御部は、他方の画像形成装置の前記バイパス搬送部を制御することを特徴とする。
【００１１】
請求項５に記載の発明は、請求項４に記載の画像形成システムにおいて、
前記モノクロ画像形成装置及び前記カラー画像形成装置の何れか一方の画像形成装置の画像形成部を動作させるとき、当該動作させる画像形成装置の画像形成部への電源の供給を行うとともに他方の画像形成装置のバイパス搬送部の制御を行う一方、他方の画像形成装置の画像形成部への電源の供給を停止させることを特徴とする。
【００１２】
請求項６に記載の発明は、請求項４又は５に記載の画像形成システムにおいて、
複数色による画像形成を行うカラー画像形成ジョブと、単色による画像形成を行うモノクロ画像形成ジョブと、複数色による画像形成及び単色による画像形成が混載したカラーモノクロ混載画像形成ジョブとを実行可能であり、
複数のジョブの予約を受け付け、該予約を受け付けた複数のジョブの実行順序を前記モノクロ画像形成装置及び前記カラー画像形成装置の動作状態に応じて入れ替えるジョブ実行制御部を備えたことを特徴とする。
【発明の効果】
【００１３】
本発明によれば、電力消費効率を向上させることができる。
【図面の簡単な説明】
【００１４】
【図１】本実施の形態における画像形成システムの全体構成を示す図である。
【図２】画像形成システムの機能的構成を示すブロック図である。
【図３】画像形成処理について説明するフローチャートである。
【図４】画像形成処理について説明するフローチャートである。
【図５】ジョブが複数予約された場合における画像形成処理について説明するフローチャートである。
【図６】モノクロ／カラー混載時カラー機画像形成処理について説明するフローチャートである。
【図７】モノクロ／カラー混載時カラー機画像形成処理について説明するフローチャートである。
【図８】モノクロ／カラー混載時カラー機・モノクロ機画像形成処理について説明するフローチャートである。
【図９】モノクロ／カラー混載時カラー機・モノクロ機画像形成処理について説明するフローチャートである。
【図１０】モノクロ／カラー混載時カラー機・モノクロ機画像形成処理について説明するフローチャートである。
【図１１】モノクロ／カラー混載時カラー機・モノクロ機画像形成処理について説明するフローチャートである。
【図１２】ジョブの実行順序の入れ替えについて説明する図である。
【図１３】ジョブの実行順序の入れ替えについて説明する図である。
【図１４】ジョブの実行順序の入れ替えについて説明する図である。
【図１５】ジョブの実行順序の入れ替えについて説明する図である。
【発明を実施するための形態】
【００１５】
以下、本発明の実施の形態に係る画像形成システムついて図面を参照しながら説明する。なお、発明の範囲は図示例に限定されない。
【００１６】
本実施の形態に係る画像形成システム１は、例えば、図１に示すように、第１画像形成装置１００と、第２画像形成装置２００と、第１中継搬送装置３００と、第２中継搬送装置４００と、大容量給紙装置５００と、後処理装置６００とを備えている。画像形成システム１は、これらの装置を直列に配置したタンデム構成を採用している。本実施の形態における画像形成システム１は、用紙の搬送方向の上流側から、大容量給紙装置５００、第１中継搬送装置３００、第１画像形成装置１００、第２中継搬送装置４００、第２画像形成装置２００、後処理装置６００の順に配置して構成されている。
【００１７】
画像形成システム１は、大容量給紙装置５００に備わる給紙トレイより給紙された用紙に対して、第１画像形成装置１００や第２画像形成装置２００にて画像の形成を行い、後処理装置６００で所定の後処理を施し、用紙の出力（排紙）を行う。これで、第１画像形成装置１００及び第２画像形成装置２００は、それぞれ、用紙の片面に対する画像形成処理を実行する。なお、用紙の両面に対する画像形成処理を実行する場合は、第１画像形成装置１００又は第２画像形成装置２００が両面に対する画像形成処理を実行する。あるいは、第１画像形成装置１００が用紙の一方の面（表面）に対する画像形成処理を実行し、第２画像形成装置２００が用紙の他方の面（裏面）に対する画像形成処理を実行する。また、第１画像形成装置１００及び第２画像形成装置に給紙部を備え、これらから給紙が行われるように構成されていてもよい。
【００１８】
第１画像形成装置１００は、ＡＤＦ（Auto Document Feeder）４０と、画像読取部５０と、操作表示部６０と、プリント部１２０と、バイパス搬送部１８０とを備えている。すなわち、第１画像形成装置１００は、スキャナ機能、コピー機能及びプリンター機能を備えた、いわゆるデジタル複合機である。なお、ＡＤＦ４０、画像読取部５０及び操作表示部６０は、後述するように、プリンタコントローラー１０により駆動制御される。また、第１画像形成装置１００は、モノクロ画像を形成するモノクロ画像形成装置であるが、Ｃ（シアン）、Ｍ（マゼンタ）、Ｙ（イエロー）、Ｋ（ブラック）の４色によるカラー画像を形成するカラー画像形成装置としてもよい。
【００１９】
プリント部１２０は、入力されたジョブデータ（画像データ）に基づいて、電子写真方式の画像形成処理（プリント処理）を行う。プリント部１２０は、画像形成部１２１と、定着部１２２と、搬送路切換部１２３とを備えている。
【００２０】
画像形成部１２１は、像担持体としての感光体ドラム、帯電部、露光部（レーザー光源、ポリゴンミラー）、現像部、転写部、分離除電部及びクリーナー（何れも図示しない）を有している。画像形成する場合に、画像形成部１２１は、レーザー光源とポリゴンミラーとにより、帯電部によって一様帯電されて回転している感光体ドラムの表面に露光して、感光体ドラムの面上に画像データに対応した静電潜像を形成する。その後、画像形成部１２１は、静電潜像を現像部により反転現像して、黒色のトナー像を感光体ドラム上に形成する。画像形成部１２１は、トナー像形成のタイミングに対応して、メイン搬送路入口１２０ｂから給送された用紙をメイン搬送路１２０ａ上に搬送させて転写領域に送出する。画像形成部１２１は、転写領域において、感光体ドラムの表面に形成されたトナー像を、転写部により反対極性に帯電された用紙に転写する。画像形成部１２１は、トナー像が担持された用紙を、分離除電部の作用により、感光体ドラムの表面から分離させ、定着部１２２に送出する。画像形成部１２１は、感光体ドラムに付着した残存トナーをクリーナーにより除去する。このように、画像形成部１２１は、モノクロ画像形成部として機能する。
【００２１】
定着部１２２は、ハロゲンヒーターにより加熱される加熱ローラーと、加熱ローラーを下方より加圧する加圧ローラーとを備え、トナー像が担持された用紙に対して加圧・加熱を行うことにより定着処理を行う。
【００２２】
搬送路切換部１２３は、定着部１２２から送出された用紙の搬送方向を、メイン搬送路出口１２０ｃと、片面の定着を終えた用紙を反転させるための反転部１２４とに切り換えるためのものである。なお、反転部１２４によって反転された用紙は、再度画像形成部１２１に送出され、反対面に対して画像形成処理が行われる。また、反転部１２４によって反転された用紙を再度画像形成部１２１に送出せず、メイン搬送路出口１２０ｃに送出することもできる。これにより、用紙を反転させた状態で第２画像形成装置２００に送出することができるので、第１画像形成装置１００及び第２画像形成装置２００のそれぞれで用紙の片面ずつ画像の形成を行うことができる。
【００２３】
ＡＤＦ４０は、原稿載置用のトレイに積載される原稿を、最上部から順に画像読取部５０に自動搬送する。
画像読取部５０は、ＡＤＦ４０によって搬送された原稿の読み取り処理を行う。具体的には、画像読取部５０は、原稿を光源から出射した光で走査し、反射光をＣＣＤ（Charge Coupled Device）５０ｂにて結像して光電変換する。画像読取部５０は、光電変換によって読み取った原稿から原稿画像データを取得する。
【００２４】
操作表示部６０は、ＬＣＤ（Liquid Crystal Display）等の表示部６０ｂ、表示部６０ｂを覆うように設けられたタッチパネル６０ｃ、その他図示しない操作キー群等を備えて構成され、ユーザーからの指示を受け付け、その操作信号を出力する。また、操作表示部６０は、入力される表示信号に従って、各種操作指示や設定情報を入力するための各種設定画面や各種処理結果等を表示する。
【００２５】
バイパス搬送部１８０は、図示しない搬送ローラーと、この搬送ローラーを回転駆動する搬送モーターとを備え、バイパス搬送路入口１８０ｂから受け入れられた用紙をバイパス搬送路１８０ａに搬送させ、プリント部１２０を経由しないでバイパス搬送路出口１８０ｃから排出する。本実施の形態では、後述するように、バイパス搬送部１８０は、第２画像形成装置２００から電源が供給されるとともに、第２画像形成装置２００により駆動制御される。したがって、バイパス搬送部１８０は、第１画像形成装置１００への電源の供給が遮断された場合でも、第２画像形成装置２００の駆動制御により動作可能に構成されている。
【００２６】
第２画像形成装置２００は、プリント部２２０を備えて構成されている。第２画像形成装置２００は、ＣＭＹＫの４色によるカラー画像を形成するカラー画像形成装置であるが、モノクロ画像形成装置としてもよい。
【００２７】
プリント部２２０は、画像形成部２２１と、定着部２２２と、搬送路切換部２２３とを備え、入力されたジョブデータと画像データに基づいて、電子写真方式の画像形成処理を行うものである。
【００２８】
画像形成部２２１は、図示しないＣＭＹＫの色毎の画像形成ユニットと、中間転写ベルトとを備えている。画像形成ユニットは、それぞれ、感光体ドラム、帯電部、露光部、現像部、１次転写ローラー及びクリーナーを有している。画像形成する場合には、各画像形成ユニットにおいて、以下の画像形成動作を行う。すなわち、各画像形成ユニットは、帯電部によって一様帯電されて回転している感光体ドラムの表面に対して露光部による露光を行い、感光体ドラムの面上に静電潜像を形成する。その後、各画像形成ユニットは、静電潜像を現像部により反転現像して、トナー像を感光体ドラム上に形成する。各画像形成ユニットは、感光体ドラム上に形成されたトナー像を１次転写ローラーの圧接により中間転写ベルトに一次転写する。各画像形成ユニットは、感光体ドラムに付着した残存トナーをクリーナーにより除去する。画像形成部２２１は、各色のトナー像が中間転写ベルトに転写されると、中間転写ベルトを周回させながらトナー像を二次転写領域に搬送する。画像形成部２２１は、二次転写領域において、中間転写ベルトの表面に形成されたトナー像を、メイン搬送路入口１２０ｂから給送され、メイン搬送路１２０ａに搬送された用紙に二次転写し、この用紙を定着部２２２に送出する。このように、画像形成部２２１は、カラー画像形成部として機能する。なお、定着部２２２の構成は、第１画像形成装置１００の定着部１２２と同様であるため、詳しい説明については省略する。
【００２９】
搬送路切換部２２３は、定着部２２２から送出された用紙の搬送方向を、メイン搬送路出口２２０ｃと、片面の定着を終えた用紙を反転させるための反転部２２４とに切り換えるためのものである。なお、反転部２２４によって反転された用紙は、再度画像形成部２２１に送出され、反対面に対して画像形成処理が行われる。
【００３０】
バイパス搬送部２８０は、図示しない搬送ローラーと、この搬送ローラーを回転駆動する搬送モーターとを備え、バイパス搬送路入口２８０ｂから受け入れられた用紙をバイパス搬送路２８０ａに搬送させ、プリント部２２０を経由しないでバイパス搬送路出口２８０ｃから排出する。本実施の形態では、後述するように、バイパス搬送部２８０は、第１画像形成装置１００から電源が供給されるとともに、第１画像形成装置１００により駆動制御される。したがって、バイパス搬送部２８０は、第２画像形成装置２００への電源の供給が遮断された場合でも、第１画像形成装置１００の駆動制御により動作可能に構成されている。
【００３１】
第１中継搬送装置３００は、搬送路切換部３１０を備えている。搬送路切換部３１０は、大容量給紙装置５００から受け入れた用紙の搬送方向を第１画像形成装置１００のメイン搬送路入口１２０ｂとバイパス搬送路入口１８０ｂとに切り換えるためのものである。搬送路切換部３１０は、ユーザーの指示により、あるいは、実行するジョブの内容に応じて搬送方向が切り換えられる。
【００３２】
第２中継搬送装置４００は、搬送路切換部４１０を備えている。搬送路切換部４１０は、メイン搬送路出口１２０ｃ及びバイパス搬送路出口１８０ｃを介して第１画像形成装置１００から受け入れた用紙の搬送方向を第２画像形成装置２００のメイン搬送路入口２２０ｂとバイパス搬送路入口２８０ｂとに切り換えるためのものである。搬送路切換部４１０は、ユーザーの指示により、あるいは、実行するジョブの内容に応じて搬送方向が切り換えられる。
【００３３】
大容量給紙装置５００は、給紙トレイ５１０を備える。給紙トレイ５１０は、複数のトレイ５１０ａ，５１０ｂ，５１０ｃを含み、斤量やサイズ等に基づいて識別された用紙をユーザーによって設定された種類毎にそれぞれのトレイに収容する。給紙トレイ５１０に収容された用紙は、図示しない搬送ローラーによって第１中継搬送装置３００に搬送される。
【００３４】
後処理装置６００は、メイン搬送路出口２２０ｃ及びバイパス搬送路出口２８０ｃを介して第２画像形成装置２００から受け入れた用紙について、所定の後処理を施す。後処理装置６００が行う後処理は、例えば、ソート処理、裁断処理、穴あけ処理、ステープル処理、くるみ製本処理等である。なお、後処理装置６００は、排紙トレイ６１１を備えており、後処理が行われた用紙を排紙トレイ６１１に排紙する。
【００３５】
本実施の形態の画像形成システム１は、以上のように構成されており、例えば、用紙の片面にモノクロ画像を形成する場合には、以下のように動作する。すなわち、大容量給紙装置５００から用紙が給送されると、第１中継搬送装置３００は、用紙が第１画像形成装置１００のメイン搬送路入口１２０ｂに送出されるように、搬送路切換部３１０を切り換える。第１画像形成装置１００は、上述したようにして片面にモノクロ画像を形成し、メイン搬送路出口１２０ｃから用紙を排出する。第２中継搬送装置４００は、第２画像形成装置２００のプリント部２２０をバイパスさせるため、メイン搬送路出口１２０ｃから排出された用紙が第２画像形成装置２００のバイパス搬送路入口２８０ｂに送出されるように搬送路切換部４１０を切り換える。第２画像形成装置２００は、バイパス搬送路入口２８０ｂから受け入れられた用紙をバイパス搬送路２８０ａを搬送させて、バイパス搬送路出口２８０ｃから排出する。このとき、上述したように、バイパス搬送部２８０は、第１画像形成装置１００から電源が供給されるとともに、第１画像形成装置１００により駆動制御されるため、第２画像形成装置２００の電源の供給を遮断させておくことができる。これにより、電力消費効率を向上させることができる。後処理装置６００は、バイパス搬送路出口２８０ｃから受け入れた用紙に対して所定の後処理を施し、例えば、排紙トレイ６１１に排紙する。
【００３６】
また、用紙の片面にカラー画像を形成する場合には、以下のように動作する。すなわち、大容量給紙装置５００から用紙が給送されると、第１中継搬送装置３００は、第１画像形成装置１００のプリント部１２０をバイパスさせるため、用紙がバイパス搬送部１８０のバイパス搬送路入口１８０ｂに送出されるように、搬送路切換部３１０を切り換える。第１画像形成装置１００は、バイパス搬送路入口１８０ｂから受け入れられた用紙をバイパス搬送路１８０ａを搬送させて、バイパス搬送路出口１８０ｃから排出する。このとき、上述したように、バイパス搬送部１８０は、第２画像形成装置２００から電源が供給されるとともに、第２画像形成装置２００により駆動制御されるため、第１画像形成装置１００の電源の供給を遮断させておくことができる。これにより、電力消費効率を向上させることができる。第２中継搬送装置４００は、バイパス搬送路出口１８０ｃから排出された用紙が第２画像形成装置２００のメイン搬送路入口２２０ｂに送出されるように、搬送路切換部４１０を切り換える。第２画像形成装置２００は、上述したようにして片面にカラー画像を形成し、メイン搬送路出口２２０ｃから用紙を排出する。後処理装置６００は、メイン搬送路出口２２０ｃから受け入れた用紙に対して所定の後処理を施し、例えば、排紙トレイ６１１に排紙する。
【００３７】
本実施の形態では、上述のように構成されているので、例えば、第１画像形成装置１００と第２画像形成装置２００の何れか一方の画像形成装置にジャム、定着不良及び定着温度不足等の不具合が発生した場合に、他方の画像形成装置にて不具合の発生した画像形成装置のバイパス搬送部を駆動制御し、当該他方の画像形成装置にて画像形成を実施することもできるので、画像形成装置の不具合の発生により生じるダウンタイムの低減を図ることができるようになる。
【００３８】
次に、画像形成システム１の機能的構成について、図２を参照しながら説明する。
【００３９】
画像形成システム１は、プリンタコントローラー１０と、第１画像形成装置１００と、第２画像形成装置２００と、第１中継搬送装置３００と、第２中継搬送装置４００と、大容量給紙装置５００と、後処理装置６００とを備えている。
【００４０】
プリンタコントローラー１０は、制御部２０と、第１電源制御部３０と、第２電源制御部４０と、画像読取部５０と、操作表示部６０と、ＬＡＮＩＦ（Local Area Network InterFace）７０と、ＩＦ８０とを備え、それぞれバスで接続されている。
【００４１】
制御部２０は、ＣＰＵ（Central Processing Unit）、ＲＯＭ（Read Only Memory）、ＲＡＭ（Random Access Memory）等から構成され、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行し、プリンタコントローラー１０の各部を制御する。制御部２０は、後述するように、複数のジョブの予約を受け付け、予約を受け付けた複数のジョブの実行順序を第１画像形成装置１００及び第２画像形成装置の動作状態に応じて入れ替えるジョブ実行制御部として機能する。
【００４２】
第１電源制御部３０は、制御部２０の指示に従って第１画像形成装置１００に対して電源制御信号を出力する。電源制御信号は、電源のＯＮ／ＯＦＦを指示する信号である。
【００４３】
第２電源制御部４０は、制御部２０の指示に従って第２画像形成装置２００に対して電源制御信号を出力する。
【００４４】
ＬＡＮＩＦ７０は、ＮＩＣ（Network Interface Card）やＬＡＮ等のネットワーク３に接続するための通信インターフェイスであり、ＰＣ２からデータ受信する。受信されたデータは、制御部２０に出力される。
【００４５】
ＩＦ８０は、第１画像形成装置１００及び第２画像形成装置２００に接続され、これらとのデータの送受信を行う。ＩＦ８０は、制御部２０からの制御信号に基づいて、制御部２０から送信されるジョブデータや画像データを、第１画像形成装置１００及び第２画像形成装置２００に送信する。
【００４６】
第１画像形成装置１００は、本体部１００ａと、電源スイッチ１５０と、電源部１６０と、バイパス搬送部１８０とを備えている。本体部１００ａは、制御部１１０と、プリント部１２０と、ＩＦ１３０と、通信部１４０とを備えており、これらはそれぞれバスで接続されている。
【００４７】
制御部１１０は、ＣＰＵ、ＲＯＭ、ＲＡＭ等から構成され、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行し、本体部１００ａを構成する各部を制御する。また、本実施の形態では、制御部１１０は、ＩＦ１３０を介して制御信号を出力することにより、第２画像形成装置２００のバイパス搬送部２８０を制御することができる。
【００４８】
ＩＦ１３０は、プリンタコントローラー１０から送信されるジョブデータや画像データを受信する。受信されたデータは、制御部１１０に出力される。また、ＩＦ１３０は、第２画像形成装置２００に設けられた後述するバイパス搬送部２８０に接続され、制御部１１０の指示に従ってバイパス搬送部２８０に対して制御信号を出力する。
【００４９】
通信部１４０は、例えば、ＮＩＣ等の通信インターフェイスを備えており、第１中継搬送装置３００、第２中継搬送装置４００、大容量給紙装置５００及び後処理装置６００とデータの送受信を行う。すなわち、第１画像形成装置１００は、通信部１４０から制御信号を出力することにより、第１中継搬送装置３００、第２中継搬送装置４００、大容量給紙装置５００及び後処理装置６００を制御することができる。
【００５０】
電源スイッチ１５０は、プリンタコントローラー１０の第１電源制御部３０からの電源制御信号を入力する。電源スイッチ１５０は、この電源制御信号に応じて電源部１６０への電源の供給及び遮断を行う。
【００５１】
電源部１６０は、電源スイッチ１５０を介して供給された電源を、本体部１００ａに供給する。また、本実施の形態では、電源部１６０は、第２画像形成装置２００のバイパス搬送部２８０にも電源を供給することができる。すなわち、本実施の形態において、第２画像形成装置２００のバイパス搬送部２８０は、第２画像形成装置２００の電源が遮断されていても、電源部１６０からの電源の供給によりバイパス搬送部２８０を駆動することができるようになっている。
【００５２】
第２画像形成装置２００は、本体部２００ａと、電源スイッチ２５０と、電源部２６０と、バイパス搬送部２８０とを備えている。本体部２００ａは、制御部２１０と、プリント部２２０と、ＩＦ２３０と、通信部２４０とを備えており、これらはそれぞれバスで接続されている。
【００５３】
制御部２１０は、ＣＰＵ、ＲＯＭ、ＲＡＭ等から構成され、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行し、本体部２００ａを構成する各部を制御する。また、本実施の形態では、制御部２１０は、ＩＦ２３０を介して制御信号を出力することにより、第１画像形成装置１００のバイパス搬送部１８０を制御することができる。
【００５４】
ＩＦ２３０は、プリンタコントローラー１０から送信されるジョブデータや画像データを受信する。受信されたデータは、制御部２１０に出力される。また、ＩＦ２３０は、第１画像形成装置１００に設けられたバイパス搬送部１８０に接続され、制御部２１０の指示に従ってバイパス搬送部１８０に対して制御信号を出力する。
【００５５】
通信部２４０は、例えば、ＮＩＣ等の通信インターフェイスを備えており、第１中継搬送装置３００、第２中継搬送装置４００、大容量給紙装置５００及び後処理装置６００とデータの送受信を行う。すなわち、第２画像形成装置２００は、通信部２４０から制御信号を出力することにより、第１中継搬送装置３００、第２中継搬送装置４００、大容量給紙装置５００及び後処理装置６００を制御することができる。
【００５６】
電源スイッチ２５０は、プリンタコントローラー１０の第２電源制御部４０からの電源制御信号を入力する。電源スイッチ２５０は、この電源制御信号に応じて電源部２６０への電源の供給及び遮断を行う。
【００５７】
電源部２６０は、電源スイッチ２５０を介して供給された電源を、本体部２００ａに供給する。また、本実施の形態では、電源部２６０は、第１画像形成装置１００のバイパス搬送部１８０にも電源を供給することができる。すなわち、本実施の形態において、第１画像形成装置１００のバイパス搬送部１８０は、第１画像形成装置１００の電源が遮断されていても、電源部２６０からの電源の供給によりバイパス搬送部１８０を駆動することができるようになっている。
【００５８】
次に、以上のようにして構成された画像形成システム１のプリンタコントローラー１０の制御部２０にて実行される画像形成処理について図３及び図４を参照しながら説明する。
【００５９】
まず、制御部２０は、ＰＣ２からのジョブデータを受信したか否かを判定する（ステップＳ１０１）。制御部２０は、ＰＣ２からジョブデータを受信したと判定しないときは（ステップＳ１０１：Ｎ）、ＰＣ２からジョブデータを受信したと判定されるまでステップＳ１０１の処理を繰り返し実行する。一方、制御部２０は、ＰＣ２からジョブデータを受信したと判定したときは（ステップＳ１０１：Ｙ）、当該ジョブがモノクロ画像の画像形成のみを行うものであるか否かを判定する（ステップＳ１０２）。
【００６０】
制御部２０は、受信したジョブがモノクロ画像の画像形成のみを行うものであると判定したときは（ステップＳ１０２：Ｙ）、カラー機である第２画像形成装置２００の電源がＯＮとなっているか否かを判定する（ステップＳ１０３）。制御部２０は、第２画像形成装置２００の電源がＯＮとなっていると判定したときは（ステップＳ１０３：Ｙ）、第２電源制御部４０を制御して第２画像形成装置２００に対して電源をＯＦＦにする制御信号を出力して第２画像形成装置２００の電源部２６０への電源の供給を遮断する（ステップＳ１０４）。一方、制御部２０は、第２画像形成装置２００の電源がＯＮとなっていると判定しないとき、すなわち、第２画像形成装置２００の電源がＯＦＦとなっていると判定したときは（ステップＳ１０３：Ｎ）、ステップＳ１０４の処理を実行することなく、ステップＳ１０５の処理を実行する。
【００６１】
制御部２０は、モノクロ機である第１画像形成装置１００の電源がＯＮとなっているか否かを判定する（ステップＳ１０５）。制御部２０は、第１画像形成装置１００の電源がＯＮとなっていると判定しないとき、すなわち、第１画像形成装置１００の電源がＯＦＦとなっていると判定したときは（ステップＳ１０５：Ｎ）、第１電源制御部３０を制御して第１画像形成装置１００に対して電源をＯＮにする制御信号を出力して第１画像形成装置１００の電源部１６０への電源の供給を行う（ステップＳ１０６）。一方、制御部２０は、第１画像形成装置１００の電源がＯＮとなっていると判定したときは（ステップＳ１０５：Ｙ）、ステップＳ１０６の処理を実行することなく、ステップＳ１０７の処理を実行する。
【００６２】
制御部２０は、モノクロ機である第１画像形成装置１００で用紙にモノクロ画像が形成されるように制御する（ステップＳ１０７）。具体的には、制御部２０は、ＩＦ８０を介し、第１画像形成装置１００に対してジョブデータを送信する。第１画像形成装置１００の制御部１１０は、プリンタコントローラー１０からジョブデータを受信すると、ジョブデータを解析する。第１画像形成装置１００の制御部１１０は、大容量給紙装置５００に対して給紙する用紙のサイズを指定する。すると、大容量給紙装置５００は、給紙トレイ５１０から指定された用紙の給紙を行い、第１中継搬送装置３００に用紙を送出する。第１画像形成装置１００の制御部１１０は、第１中継搬送装置３００に対して、給紙された用紙がメイン搬送路入口１２０ｂに搬送されるように指示する。すると、第１中継搬送装置３００は、搬送路切換部３１０を切り換えて、大容量給紙装置５００から送出された用紙を第１画像形成装置１００のメイン搬送路入口１２０ｂに案内する。第１画像形成装置１００の制御部１１０は、第１中継搬送装置３００から受け入れた用紙をメイン搬送路１２０ａ上に搬送させ、上述したようにしてプリント部１２０によるモノクロ画像による画像形成を行う。画像形成された用紙は、メイン搬送路出口１２０ｃから排出される。また、第１画像形成装置１００の制御部１１０は、第２中継搬送装置４００に対し、画像形成された用紙がバイパス搬送路入口２８０ｂに搬送されるように指示する。すると、第２中継搬送装置４００は、搬送路切換部４１０を切り換えて、第１画像形成装置１００から送出された用紙を第２画像形成装置２００のバイパス搬送路入口２８０ｂに案内する。このとき、第２画像形成装置２００では、本体部２００ａへの電源の供給は遮断されているが、バイパス搬送部２８０に対しては、第１画像形成装置１００の電源部１６０から電源の供給が行われているため、バイパス搬送部２８０は駆動している。第１画像形成装置１００の制御部１１０は、バイパス搬送部２８０を制御して、第２中継搬送装置４００からバイパス搬送部２８０に受け入れられた用紙をバイパス搬送路２８０ａ上に搬送させる。バイパス搬送路２８０ａ上に搬送される用紙は、プリント部２２０をバイパスし、バイパス搬送路出口２８０ｃを介して第２画像形成装置２００から排出される。第１画像形成装置１００の制御部１１０は、後処理装置６００に対して所定の後処理を実施するように指示する。すると、後処理装置６００は、第２画像形成装置２００から排出された用紙を受け付けて所定の後処理を行った後、排紙トレイ６１１から用紙を排出する。
【００６３】
制御部２０は、ジョブが終了したか否かを判定する（ステップＳ１０８）。制御部２０は、ジョブが終了したと判定しないときは（ステップＳ１０８：Ｎ）、ジョブが終了したと判定されるまでステップＳ１０８の処理を繰り返し実行する。一方、制御部２０は、ジョブが終了したと判定したときは（ステップＳ１０８：Ｙ）、この処理を終了する。
【００６４】
また、制御部２０は、ステップＳ１０２において、受信したジョブがモノクロ画像の画像形成のみを行うものであると判定しないときは（ステップＳ１０２：Ｎ）、受信したジョブがカラー画像の画像形成のみを行うものであるか否かを判定する（ステップＳ１０９）。
【００６５】
制御部２０は、受信したジョブがカラー画像の画像形成のみを行うものであると判定したときは（ステップＳ１０９：Ｙ）、モノクロ機である第１画像形成装置１００の電源がＯＮとなっているか否かを判定する（ステップＳ１１０）。制御部２０は、第１画像形成装置１００の電源がＯＮとなっていると判定したときは（ステップＳ１１０：Ｙ）、第１電源制御部３０を制御して第１画像形成装置１００に対して電源をＯＦＦにする制御信号を出力して第１画像形成装置１００の電源部１６０への電源の供給を遮断する（ステップＳ１１１）。一方、制御部２０は、第１画像形成装置１００の電源がＯＮとなっていると判定しないとき、すなわち、第１画像形成装置１００の電源がＯＦＦとなっていると判定したときは（ステップＳ１１０：Ｎ）、ステップＳ１１１の処理を実行することなく、ステップＳ１１２の処理を実行する。
【００６６】
制御部２０は、カラー機である第２画像形成装置２００の電源がＯＮとなっているか否かを判定する（ステップＳ１１２）。制御部２０は、第２画像形成装置２００の電源がＯＮとなっていると判定しないとき、すなわち、第２画像形成装置２００の電源がＯＦＦとなっていると判定したときは（ステップＳ１１２：Ｎ）、第２電源制御部４０を制御して第２画像形成装置２００に対して電源をＯＮにする制御信号を出力して第２画像形成装置２００の電源部２６０への電源の供給を行う（ステップＳ１１３）。一方、制御部２０は、第２画像形成装置２００の電源がＯＮとなっていると判定したときは（ステップＳ１１２：Ｙ）、ステップＳ１１３の処理を実行することなく、ステップＳ１１４の処理を実行する。
【００６７】
制御部２０は、カラー機である第２画像形成装置２００で用紙にカラー画像が形成されるように制御し（ステップＳ１１４）、ステップＳ１０８の処理を実行する。具体的には、制御部２０は、ＩＦ８０を介し、第２画像形成装置２００に対してジョブデータを送信する。第２画像形成装置２００の制御部２１０は、プリンタコントローラー１０からジョブデータを受信すると、ジョブデータを解析する。第２画像形成装置２００の制御部２１０は、大容量給紙装置５００に対して給紙する用紙のサイズを指定する。すると、大容量給紙装置５００は、給紙トレイ５１０から指定された用紙の給紙を行い、第１中継搬送装置３００に用紙を送出する。第２画像形成装置２００の制御部２１０は、第１中継搬送装置３００に対して、給紙された用紙が第１画像形成装置１００のバイパス搬送路入口１８０ｂに搬送されるように指示する。すると、第１中継搬送装置３００は、搬送路切換部３１０を切り換えて、大容量給紙装置５００から送出された用紙を第１画像形成装置１００のバイパス搬送路入口１８０ｂに案内する。このとき、第１画像形成装置１００では、本体部１００ａへの電源の供給は遮断されているが、バイパス搬送部１８０に対しては、第２画像形成装置２００の電源部２６０から電源の供給が行われているため、バイパス搬送部１８０は駆動している。第２画像形成装置２００の制御部２１０は、バイパス搬送部１８０を制御して、第１中継搬送装置３００からバイパス搬送部１８０に受け入れられた用紙をバイパス搬送路１８０ａ上に搬送させる。バイパス搬送路１８０ａ上に搬送される用紙は、プリント部１２０をバイパスし、バイパス搬送路出口１８０ｃを介して第１画像形成装置１００から排出される。第２画像形成装置２００の制御部２１０は、第２中継搬送装置４００に対し、第１画像形成装置１００から送出された用紙が第２画像形成装置２００のメイン搬送路入口２２０ｂに搬送されるように指示する。すると、第２中継搬送装置４００は、搬送路切換部４１０を切り換えて、第１画像形成装置１００から送出された用紙を第２画像形成装置２００のメイン搬送路入口２２０ｂに案内する。第２画像形成装置２００の制御部２１０は、第２中継搬送装置４００から受け入れた用紙をメイン搬送路２２０ａ上に搬送させ、上述したようにしてプリント部２２０によるカラー画像による画像形成を行う。画像形成された用紙は、メイン搬送路出口２２０ｃから排出される。第２画像形成装置２００の制御部２１０は、後処理装置６００に対して所定の後処理を実施するように指示する。すると、後処理装置６００は、第２画像形成装置２００から排出された用紙を受け付けて所定の後処理を行った後、排紙トレイ６１１から用紙を排出する。
【００６８】
また、制御部２０は、ステップＳ１０９において、受信したジョブがカラー画像の画像形成のみを行うものであると判定しないとき、すなわち、モノクロ画像及びカラー画像の画像形成を行うと判定したときは（ステップＳ１０９：Ｎ）、図４に示すように、モノクロ機である第１画像形成装置１００の電源がＯＮとなっているか否かを判定する（ステップＳ１１５）。制御部２０は、第１画像形成装置１００の電源がＯＮとなっていると判定しないとき、すなわち、第１画像形成装置１００の電源がＯＦＦとなっていると判定したときは（ステップＳ１１５：Ｎ）、第１電源制御部３０を制御して第１画像形成装置１００に対して電源をＯＮにする制御信号を出力して第１画像形成装置１００の電源部１６０への電源の供給を行う（ステップＳ１１６）。一方、制御部２０は、第１画像形成装置１００の電源がＯＮとなっていると判定したときは（ステップＳ１１５：Ｙ）、ステップＳ１１６の処理を実行することなく、ステップＳ１１７の処理を実行する。
【００６９】
制御部２０は、カラー機である第２画像形成装置２００の電源がＯＮとなっているか否かを判定する（ステップＳ１１７）。制御部２０は、第２画像形成装置２００の電源がＯＮとなっていると判定しないとき、すなわち、第２画像形成装置２００の電源がＯＦＦとなっていると判定したときは（ステップＳ１１７：Ｎ）、第２電源制御部４０を制御して第２画像形成装置２００に対して電源をＯＮにする制御信号を出力して第２画像形成装置２００の電源部２６０への電源の供給を行う（ステップＳ１１８）。一方、制御部２０は、第２画像形成装置２００の電源がＯＮとなっていると判定したときは（ステップＳ１１７：Ｙ）、ステップＳ１１８の処理を実行することなく、ステップＳ１１９の処理を実行する。
【００７０】
制御部２０は、モノクロ画像を用紙に形成する場合には、モノクロ機である第１画像形成装置１００でモノクロ画像が用紙に形成されるように制御し、カラー画像を用紙に形成する場合には、カラー機である第２画像形成装置２００でカラー画像が用紙に形成されるように制御して（ステップＳ１１９）、ステップＳ１０８の処理を実行する。具体的には、モノクロ画像を用紙の片面に形成する場合や、カラー画像を用紙の片面に形成する場合は、それぞれ上述したようにして実施する。また、モノクロ画像とカラー画像とにより両面への画像形成を行う場合には、以下のようにして実施される。すなわち、制御部２０は、ＩＦ８０を介し、第１画像形成装置１００及び第２画像形成装置２００に対してジョブデータを送信する。第１画像形成装置１００の制御部１１０及び第２画像形成装置２００の制御部２１０は、それぞれ、プリンタコントローラー１０からジョブデータを受信すると、ジョブデータを解析する。第１画像形成装置１００の制御部１１０は、大容量給紙装置５００に対して給紙する用紙のサイズを指定する。すると、大容量給紙装置５００は、給紙トレイ５１０から指定された用紙の給紙を行い、第１中継搬送装置３００に用紙を送出する。第１画像形成装置１００の制御部１１０は、第１中継搬送装置３００に対して給紙された用紙が第１画像形成装置１００のメイン搬送路入口１２０ｂに搬送されるように指示する。すると、第１中継搬送装置３００は、搬送路切換部３１０を切り換えて、大容量給紙装置５００から送出された用紙を第１画像形成装置１００のメイン搬送路入口１２０ｂに案内する。第１画像形成装置１００の制御部１１０は、第１中継搬送装置３００から受け入れた用紙をメイン搬送路１２０ａ上に搬送させ、上述したようにしてプリント部１２０によるモノクロ画像による画像形成を行う。画像形成された用紙は、反転部１２４による用紙の反転が行われた後に、メイン搬送路出口１２０ｃから排出される。また、第１画像形成装置１００の制御部１１０は、第２中継搬送装置４００に対し、画像形成された用紙が第２画像形成装置２００のメイン搬送部入口２２０ｂに搬送されるように指示する。すると、第２中継搬送装置４００は、搬送路切換部４１０を切り換えて、第１画像形成装置１００から送出された用紙を第２画像形成装置２００のメイン搬送路入口２２０ｂに案内する。第２画像形成装置２００の制御部２１０は、第２中継搬送装置４００から受け入れた用紙をメイン搬送路２２０ａ上に搬送させ、上述したようにしてプリント部２２０によるカラー画像による画像形成を行う。画像形成された用紙は、メイン搬送路出口２２０ｃから排出される。第１画像形成装置１００の制御部１１０は、後処理装置６００に対して所定の後処理を実施するように指示する。すると、後処理装置６００は、第２画像形成装置２００から排出された用紙を受け付けて所定の後処理を行った後、排紙トレイ６１１から用紙を排出する。なお、本実施の形態では、モノクロ画像とカラー画像とにより両面印刷を行う場合、第１画像形成装置１００の制御部１１０により、第１中継搬送装置３００、第２中継搬送装置４００、大容量給紙装置５００及び後処理装置６００を制御するようにしたが、第２画像形成装置２００の制御部２１０により制御するようにしてもよい。
【００７１】
次に、ジョブが複数予約された場合における画像形成処理について図５を参照しながら説明する。この処理は、プリンタコントローラー１０の制御部２０にて実行される処理である。
【００７２】
まず、制御部２０は、ＰＣ２からのジョブデータを受信したか否かを判定する（ステップＳ２０１）。制御部２０は、ＰＣ２からジョブデータを受信したと判定しないときは（ステップＳ２０１：Ｎ）、ＰＣ２からジョブデータを受信したと判定されるまでステップＳ２０１の処理を繰り返し実行する。一方、制御部２０は、ＰＣ２からジョブデータを受信したと判定したときは（ステップＳ２０１：Ｙ）、予約ジョブにモノクロ画像とカラー画像とが混載された画像（モノクロ／カラー混載画像）を形成するジョブを含む場合に、当該ジョブが特定の態様で混載されたジョブ（特定混載ジョブ）であるか否かを判定する（ステップＳ２０２）。すなわち、制御部２０は、例えば、用紙の表面にはモノクロ画像のみを形成し、用紙の裏面にはカラー画像のみを形成するジョブ、又は、用紙の表面にはカラー画像のみを形成し、用紙の裏面にはモノクロ画像のみを形成するジョブを特定混載ジョブとし、予約ジョブにモノクロ画像とカラー画像とが混載されたジョブを含む場合であっても、当該ジョブがこのような特定混載ジョブであるか否かを判定する。
【００７３】
制御部２０は、予約ジョブにモノクロ画像とカラー画像とが混載されたジョブを含む場合に、当該ジョブが特定混載ジョブであると判定しないときは（ステップＳ２０２：Ｎ）、後述するモノクロ／カラー混載時カラー機画像形成処理を実行した後（ステップＳ２０３）、この処理を終了する。一方、制御部２０は、予約ジョブにモノクロ画像とカラー画像とが混載されたジョブを含む場合に、当該ジョブが特定混載ジョブであると判定したときは（ステップＳ２０２：Ｙ）、後述するモノクロ／カラー混載時モノクロ機・カラー機画像形成処理を実行した後（ステップＳ２０４）、この処理を終了する。
【００７４】
次に、上述した画像形成処理のステップＳ２０３において実行される、モノクロ／カラー混載時カラー機画像形成処理について図６及び図７を参照しながら説明する。
【００７５】
まず、制御部２０は、予約されているジョブがモノクロ画像による画像形成を行うものであるか否かを判定する（ステップＳ３０１）。
【００７６】
制御部２０は、次に予約されているジョブがモノクロ画像による画像生成を行うものであると判定したときは（ステップＳ３０１：Ｙ）、モノクロ機である第１画像形成装置１００が画像形成可能な状態であるか否かを判定する（ステップＳ３０２）。すなわち、第１画像形成装置１００へ電源が供給されているか、あるいは、第１画像形成装置１００に不具合が発生していないかによって第１画像形成装置１００が画像形成可能な状態であるか否かが判断される。
【００７７】
制御部２０は、第１画像形成装置１００が画像形成可能な状態であると判定したときは（ステップＳ３０２：Ｙ）、モノクロ機である第１画像形成装置１００でモノクロ画像を用紙に形成するジョブが行われるように制御する（ステップＳ３０３）。なお、モノクロ画像の用紙への画像形成の要領については上述した通りである。
【００７８】
制御部２０は、モノクロ画像を用紙に形成するジョブが終了したか否かを判定する（ステップＳ３０４）。制御部２０は、ジョブが終了したと判定しないときは（ステップＳ３０４：Ｎ）、ジョブが終了したと判定されるまでステップＳ３０４の処理を繰り返し実行する。一方、制御部２０は、ジョブが終了したと判定したときは（ステップＳ３０４：Ｙ）、次の予約ジョブがあるか否かを判定する（ステップＳ３０５）。
【００７９】
制御部２０は、次の予約ジョブがあると判定したときは（ステップＳ３０５：Ｙ）、その予約ジョブがモノクロ画像による画像形成を行うジョブであるか否かを判定する（ステップＳ３０６）。制御部２０は、次の予約ジョブがモノクロ画像による画像形成を行うジョブであると判定したときは（ステップＳ３０６：Ｙ）、ステップＳ３０２の処理を実行する。一方、制御部２０は、次の予約ジョブがモノクロ画像による画像形成を行うジョブであると判定しないとき、すなわち、次の予約ジョブがカラー画像による画像形成を行うジョブ又はモノクロ／カラー混載画像による画像形成を行うジョブであると判定したときは（ステップＳ３０６：Ｎ）、予約されているジョブの中にモノクロ画像による画像形成を行うジョブが含まれているか否かを判定する（ステップＳ３０７）。
【００８０】
制御部２０は、予約されているジョブの中にモノクロ画像による画像形成を行うジョブが含まれていると判定したときは（ステップＳ３０７：Ｙ）、モノクロ画像による画像形成を行うジョブがカラー画像による画像形成を行うジョブ及びモノクロ／カラー混載画像による画像形成を行うジョブに優先して実行されるようにジョブの実行順序を入れ替えた後（ステップＳ３０８）、ステップＳ３０２の処理を実行する。一方、制御部２０は、予約されているジョブの中にモノクロ画像による画像形成を行うジョブが含まれていると判定しないときは（ステップＳ３０７：Ｎ）、モノクロ機である第１画像形成装置１００の動作を停止させた後（ステップＳ３０９）、後述するステップＳ３１４の処理を実行する。第１画像形成装置１００の動作の停止は、例えば、プリント部１２０の駆動の停止や、第１画像形成装置１００の電源部１６０への電源の供給の遮断等である。
【００８１】
また、制御部２０は、ステップＳ３０５において、次の予約ジョブがあると判定しないときは（ステップＳ３０５：Ｎ）、モノクロ機である第１画像形成装置１００及びカラー機である第２画像形成装置２００の動作を停止させた後（ステップＳ３１０）、この処理を終了する。
【００８２】
また、制御部２０は、ステップＳ３０２において、第１画像形成装置１００が画像形成可能な状態であると判定しないときは（ステップＳ３０２：Ｎ）、カラー機である第２画像形成装置２００が画像形成可能な状態であるか否かを判定する（ステップＳ３１１）。
【００８３】
制御部２０は、第２画像形成装置２００が画像形成可能な状態であると判定したときは（ステップＳ３１１：Ｙ）、予約されているジョブの中にカラー画像による画像形成を行うジョブ及びモノクロ／カラー混載画像による画像形成を行うジョブが含まれているか否かを判定する（ステップＳ３１２）。一方、制御部２０は、第２画像形成装置２００が画像形成可能な状態であると判定しないときは（ステップＳ３１１：Ｎ）、ステップＳ３０２の処理を実行する。
【００８４】
制御部２０は、ステップＳ３１２において、予約されているジョブの中にカラー画像による画像形成を行うジョブ及びモノクロ／カラー混載画像による画像形成を行うジョブが含まれていると判定したときは（ステップＳ３１２：Ｙ）、カラー画像による画像形成を行うジョブ及びモノクロ／カラー混載画像による画像形成を行うジョブがモノクロ画像による画像形成を行うジョブに優先して実行されるようにジョブの実行順序を入れ替えた後（ステップＳ３１３）、後述するステップＳ３１５の処理を実行する。一方、制御部２０は、予約されているジョブの中にカラー画像による画像形成を行うジョブ及びモノクロ／カラー混載画像による画像形成を行うジョブが含まれていると判定しないときは（ステップＳ３１２：Ｎ）、ステップＳ３０２の処理を実行する。
【００８５】
また、制御部２０は、ステップＳ３０１において、次に予約されているジョブがモノクロ画像による画像形成であると判定しないときは（ステップＳ３０１：Ｙ）、図７に示すように、カラー機である第２画像形成装置２００が画像形成可能な状態であるか否かを判定する（ステップＳ３１４）。すなわち、第２画像形成装置２００へ電源が供給されているか、あるいは、第２画像形成装置２００に不具合が発生していないかによって第２画像形成装置２００が画像形成可能な状態であるか否かが判断される。
【００８６】
制御部２０は、第２画像形成装置２００が画像形成可能な状態であると判定したときは（ステップＳ３１４：Ｙ）、カラー機である第２画像形成装置２００でカラー画像又はモノクロ／カラー混載画像を用紙に形成するジョブが行われるように制御する（ステップＳ３１５）。なお、モノクロ／カラー混載画像を用紙に形成するジョブは、用紙の両面にモノクロ画像とカラー画像とをそれぞれ形成するものであるが、この場合は、モノクロ画像を形成する面及びカラー画像を形成する面の何れも、カラー機である第２画像形成装置２００で実施する。
【００８７】
制御部２０は、カラー画像又はモノクロ／カラー混載画像を用紙に形成するジョブが終了したか否かを判定する（ステップＳ３１６）。制御部２０は、ジョブが終了したと判定しないときは（ステップＳ３１６：Ｎ）、ジョブが終了したと判定されるまでステップＳ３１６の処理を繰り返し実行する。一方、制御部２０は、ジョブが終了したと判定したときは（ステップＳ３１６：Ｙ）、次の予約ジョブがあるか否かを判定する（ステップＳ３１７）。
【００８８】
制御部２０は、次の予約ジョブがあると判定したときは（ステップＳ３１７：Ｙ）、その予約ジョブがカラー画像による画像形成を行うジョブ又はモノクロ／カラー混載画像による画像形成を行うジョブであるか否かを判定する（ステップＳ３１８）。一方、制御部２０は、次の予約ジョブがあると判定しないときは（ステップＳ３１７：Ｎ）、ステップＳ３１０の処理を実行した後、この処理を終了する。
【００８９】
制御部２０は、ステップＳ３１８において、次の予約ジョブがカラー画像による画像形成を行うジョブ又はモノクロ／カラー混載画像による画像形成を行うジョブであると判定したときは（ステップＳ３１８：Ｙ）、ステップＳ３１４の処理を実行する。一方、制御部２０は、次の予約ジョブがカラー画像による画像形成を行うジョブ又はモノクロ／カラー混載画像による画像形成を行うジョブであると判定しないとき、すなわち、次の予約ジョブがモノクロ画像による画像形成を行うジョブであると判定したときは（ステップＳ３１８：Ｎ）、予約されているジョブの中にカラー画像による画像形成を行うジョブ又はモノクロ／カラー混載画像による画像形成を行うジョブが含まれているか否かを判定する（ステップＳ３１９）。
【００９０】
制御部２０は、予約されているジョブの中にカラー画像による画像形成を行うジョブ又はモノクロ／カラー混載画像による画像形成を行うジョブが含まれていると判定したときは（ステップＳ３１９：Ｙ）、カラー画像による画像形成を行うジョブ及びモノクロ／カラー混載画像による画像形成を行うジョブがモノクロ画像による画像形成を行うジョブに優先して実行されるようにジョブの実行順序を入れ替えた後（ステップＳ３２０）、ステップＳ３１４の処理を実行する。一方、制御部２０は、予約されているジョブの中にカラー画像による画像形成を行うジョブ又はモノクロ／カラー混載画像による画像形成を行うジョブが含まれていると判定しないときは（ステップＳ３１９：Ｎ）、カラー機である第２画像形成装置２００の動作を停止させた後（ステップＳ３２１）、ステップＳ３０２の処理を実行する。第２画像形成装置２００の動作の停止は、例えば、プリント部２２０の駆動の停止や、第２画像形成装置２００の電源部２６０への電源の供給の遮断等である。
【００９１】
また、制御部２０は、ステップＳ３１４において、第２画像形成装置２００が画像形成可能な状態であると判定しないときは（ステップＳ３１４：Ｙ）、モノクロ機である第１画像形成装置１００が画像形成可能な状態であるか否かを判定する（ステップＳ３２２）。
【００９２】
制御部２０は、第１画像形成装置１００が画像形成可能な状態であると判定したときは（ステップＳ３２２：Ｙ）、予約されているジョブの中にモノクロ画像による画像形成を行うジョブが含まれているか否かを判定する（ステップＳ３２３）。一方、制御部２０は、第１画像形成装置１００が画像形成可能な状態であると判定しないときは（ステップＳ３２２：Ｎ）、ステップＳ３１４の処理を実行する。
【００９３】
制御部２０は、ステップＳ３２３において、予約されているジョブの中にモノクロ画像による画像形成を行うジョブが含まれていると判定したときは（ステップＳ３２３：Ｙ）、モノクロ画像による画像形成を行うジョブがカラー画像による画像形成を行うジョブ及びモノクロ／カラー混載画像による画像形成を行うジョブに優先して実行されるようにジョブの実行順序を入れ替えた後（ステップＳ３２４）、ステップＳ３０３の処理を実行する。一方、制御部２０は、予約されているジョブの中にモノクロ画像による画像形成を行うジョブが含まれていると判定しないときは（ステップＳ３２３：Ｎ）、ステップＳ３１４の処理を実行する。
【００９４】
次に、上述した画像形成処理のステップＳ２０４において実行される、モノクロ／カラー混載時モノクロ機・カラー機画像形成処理について図８〜図１１を参照しながら説明する。
【００９５】
まず、制御部２０は、予約されているジョブがモノクロ画像による画像形成を行うものであるか否かを判定する（ステップＳ４０１）。
【００９６】
制御部２０は、次に予約されているジョブがモノクロ画像による画像生成を行うものであると判定したときは（ステップＳ４０１：Ｙ）、モノクロ機である第１画像形成装置１００が画像形成可能な状態であるか否かを判定する（ステップＳ４０２）。
【００９７】
制御部２０は、第１画像形成装置１００が画像形成可能な状態であると判定したときは（ステップＳ４０２：Ｙ）、モノクロ機である第１画像形成装置１００でモノクロ画像を用紙に形成するジョブが行われるように制御する（ステップＳ４０３）。
【００９８】
その後、制御部２０は、モノクロ画像を用紙に形成するジョブが終了したか否かを判定する（ステップＳ４０４）。制御部２０は、ジョブが終了したと判定しないときは（ステップＳ４０４：Ｎ）、ジョブが終了したと判定されるまでステップＳ４０４の処理を繰り返し実行する。一方、制御部２０は、ジョブが終了したと判定したときは（ステップＳ４０４：Ｙ）、次の予約ジョブがあるか否かを判定する（ステップＳ４０５）。
【００９９】
制御部２０は、次の予約ジョブがあると判定したときは（ステップＳ４０５：Ｙ）、その予約ジョブがモノクロ画像による画像形成を行うジョブであるか否かを判定する（ステップＳ４０６）。制御部２０は、次の予約ジョブがモノクロ画像による画像形成を行うジョブであると判定したときは（ステップＳ４０６：Ｙ）、ステップＳ４０２の処理を実行する。一方、制御部２０は、次の予約ジョブがモノクロ画像による画像形成を行うジョブであると判定しないとき、すなわち、次の予約ジョブがカラー画像による画像形成を行うジョブ又はモノクロ／カラー混載画像による画像形成を行うジョブであると判定したときは（ステップＳ４０６：Ｎ）、予約されているジョブの中にモノクロ画像による画像形成を行うジョブが含まれているか否かを判定する（ステップＳ４０７）。
【０１００】
制御部２０は、予約されているジョブの中にモノクロ画像による画像形成を行うジョブが含まれていると判定したときは（ステップＳ４０７：Ｙ）、モノクロ画像による画像形成を行うジョブがカラー画像による画像形成を行うジョブ及びモノクロ／カラー混載画像による画像形成を行うジョブに優先して実行されるようにジョブの実行順序を入れ替えた後（ステップＳ４０８）、ステップＳ４０２の処理を実行する。一方、制御部２０は、予約されているジョブの中にモノクロ画像による画像形成を行うジョブが含まれていると判定しないときは（ステップＳ４０７：Ｎ）、モノクロ機である第１画像形成装置１００の動作を停止させた後（ステップＳ４０９）、ステップＳ４０１の処理を実行する。
【０１０１】
また、制御部２０は、ステップＳ４０５において、次の予約ジョブがあると判定しないときは（ステップＳ４０５：Ｎ）、モノクロ機である第１画像形成装置１００及びカラー機である第２画像形成装置２００の動作を停止させた後（ステップＳ４１０）、この処理を終了する。
【０１０２】
また、制御部２０は、ステップＳ４０２において、第１画像形成装置１００が画像形成可能な状態であると判定しないときは（ステップＳ４０２：Ｎ）、カラー機である第２画像形成装置２００が画像形成可能な状態であるか否かを判定する（ステップＳ４１１）。
【０１０３】
制御部２０は、第２画像形成装置２００が画像形成可能な状態であると判定したときは（ステップＳ４１１：Ｙ）、予約されているジョブの中にカラー画像による画像形成を行うジョブが含まれているか否かを判定する（ステップＳ４１２）。一方、制御部２０は、第２画像形成装置２００が画像形成可能な状態であると判定しないときは（ステップＳ４１１：Ｎ）、ステップＳ４０２の処理を実行する。
【０１０４】
制御部２０は、ステップＳ４１２において、予約されているジョブの中にカラー画像による画像形成を行うジョブが含まれていると判定したときは（ステップＳ４１２：Ｙ）、カラー画像による画像形成を行うジョブがモノクロ画像による画像形成を行うジョブ及びモノクロ／カラー混載画像による画像形成を行うジョブに優先して実行されるようにジョブの実行順序を入れ替えた後（ステップＳ４１３）、後述するステップＳ４１６の処理を実行する。一方、制御部２０は、予約されているジョブの中にカラー画像による画像形成を行うジョブが含まれていると判定しないときは（ステップＳ４１２：Ｎ）、ステップＳ４０２の処理を実行する。
【０１０５】
また、制御部２０は、ステップＳ４０１において、次に予約されているジョブがモノクロ画像による画像形成であると判定しないときは（ステップＳ４０１：Ｙ）、図９に示すように、予約されているジョブがカラー画像による画像形成を行うものであるか否かを判定する（ステップＳ４１４）。
【０１０６】
制御部２０は、次に予約されているジョブがカラー画像による画像生成を行うものであると判定したときは（ステップＳ４１４：Ｙ）、カラー機である第２画像形成装置２００が画像形成可能な状態であるか否かを判定する（ステップＳ４１５）。
【０１０７】
制御部２０は、第２画像形成装置２００が画像形成可能な状態であると判定したときは（ステップＳ４１５：Ｙ）、カラー機である第２画像形成装置２００でカラー画像を用紙に形成するジョブが行われるように制御する（ステップＳ４１６）。
【０１０８】
その後、制御部２０は、カラー画像を用紙に形成するジョブが終了したか否かを判定する（ステップＳ４１７）。制御部２０は、ジョブが終了したと判定しないときは（ステップＳ４１７：Ｎ）、ジョブが終了したと判定されるまでステップＳ４１７の処理を繰り返し実行する。一方、制御部２０は、ジョブが終了したと判定したときは（ステップＳ４１７：Ｙ）、次の予約ジョブがあるか否かを判定する（ステップＳ４１８）。
【０１０９】
制御部２０は、次の予約ジョブがあると判定したときは（ステップＳ４１８：Ｙ）、その予約ジョブがカラー画像による画像形成を行うジョブであるか否かを判定する（ステップＳ４１９）。一方、制御部２０は、次の予約ジョブがあると判定しないときは（ステップＳ４１８：Ｎ）、ステップＳ４１０の処理を実行した後、この処理を終了する。
【０１１０】
制御部２０は、ステップＳ４１９において、次の予約ジョブがカラー画像による画像形成を行うジョブであると判定したときは（ステップＳ４１９：Ｙ）、ステップＳ４１５の処理を実行する。一方、制御部２０は、次の予約ジョブがカラー画像による画像形成を行うジョブであると判定しないとき、すなわち、次の予約ジョブがモノクロ画像による画像形成を行うジョブ又はモノクロ／カラー混載画像による画像形成を行うジョブであると判定したときは（ステップＳ４１９：Ｎ）、予約されているジョブの中にカラー画像による画像形成を行うジョブが含まれているか否かを判定する（ステップＳ４２０）。
【０１１１】
制御部２０は、予約されているジョブの中にカラー画像による画像形成を行うジョブが含まれていると判定したときは（ステップＳ４２０：Ｙ）、カラー画像による画像形成を行うジョブがモノクロ画像による画像形成を行うジョブ及びモノクロ／カラー混載画像による画像形成を行うジョブに優先して実行されるようにジョブの実行順序を入れ替えた後（ステップＳ４２１）、ステップＳ４１５の処理を実行する。一方、制御部２０は、予約されているジョブの中にカラー画像による画像形成を行うジョブが含まれていると判定しないときは（ステップＳ４２０：Ｎ）、カラー機である第２画像形成装置２００の動作を停止させた後（ステップＳ４２２）、ステップＳ４０１の処理を実行する。
【０１１２】
また、制御部２０は、ステップＳ４１５において、第２画像形成装置２００が画像形成可能な状態であると判定しないときは（ステップＳ４１５：Ｎ）、モノクロ機である第１画像形成装置１００が画像形成可能な状態であるか否かを判定する（ステップＳ４２３）。
【０１１３】
制御部２０は、第１画像形成装置１００が画像形成可能な状態であると判定したときは（ステップＳ４２３：Ｙ）、予約されているジョブの中にモノクロ画像による画像形成を行うジョブが含まれているか否かを判定する（ステップＳ４２４）。一方、制御部２０は、第１画像形成装置１００が画像形成可能な状態であると判定しないときは（ステップＳ４２３：Ｎ）、ステップＳ４１５の処理を実行する。
【０１１４】
制御部２０は、ステップＳ４２４において、予約されているジョブの中にモノクロ画像による画像形成を行うジョブが含まれていると判定したときは（ステップＳ４２４：Ｙ）、モノクロ画像による画像形成を行うジョブがカラー画像による画像形成を行うジョブ及びモノクロ／カラー混載画像による画像形成を行うジョブに優先して実行されるようにジョブの実行順序を入れ替えた後（ステップＳ４２５）、ステップＳ４０３の処理を実行する。一方、制御部２０は、予約されているジョブの中にモノクロ画像による画像形成を行うジョブが含まれていると判定しないときは（ステップＳ４２４：Ｎ）、ステップＳ４１５の処理を実行する。
【０１１５】
また、制御部２０は、ステップＳ４１４において、次に予約されているジョブがカラー画像による画像生成を行うものであると判定しないときは（ステップＳ４１４：Ｎ）、図１０に示すように、モノクロ機である第１画像形成装置１００及びカラー機である第２画像形成装置２００が画像形成可能な状態であるか否かを判定する（ステップＳ４２６）。
【０１１６】
制御部２０は、第１画像形成装置１００及び第２画像形成装置２００が画像形成可能な状態であると判定したときは（ステップＳ４２６：Ｙ）、モノクロ機である第１画像形成装置１００及びカラー機である第２画像形成装置２００でモノクロ／カラー混載画像を用紙に形成するジョブが行われるように制御する（ステップＳ４２７）。
【０１１７】
その後、制御部２０は、モノクロ／カラー混載画像を用紙に形成するジョブが終了したか否かを判定する（ステップＳ４２８）。制御部２０は、ジョブが終了したと判定しないときは（ステップＳ４２８：Ｎ）、ジョブが終了したと判定されるまでステップＳ４２８の処理を繰り返し実行する。一方、制御部２０は、ジョブが終了したと判定したときは（ステップＳ４２８：Ｙ）、次の予約ジョブがあるか否かを判定する（ステップＳ４２９）。
【０１１８】
制御部２０は、次の予約ジョブがあると判定したときは（ステップＳ４２９：Ｙ）、その予約ジョブがモノクロ／カラー混載画像による画像形成を行うジョブであるか否かを判定する（ステップＳ４３０）。一方、制御部２０は、次の予約ジョブがあると判定しないときは（ステップＳ４２９：Ｎ）、ステップＳ４１０の処理を実行した後、この処理を終了する。
【０１１９】
制御部２０は、ステップＳ４３０において、次の予約ジョブがモノクロ／カラー混載画像による画像形成を行うジョブであると判定したときは（ステップＳ４３０：Ｙ）、ステップＳ４２６の処理を実行する。一方、制御部２０は、次の予約ジョブがモノクロ／カラー混載画像による画像形成を行うジョブであると判定しないとき、すなわち、次の予約ジョブがモノクロ画像による画像形成を行うジョブ又はカラー画像による画像形成を行うジョブであると判定したときは（ステップＳ４３０：Ｎ）、予約されているジョブの中にモノクロ／カラー混載画像による画像形成を行うジョブが含まれているか否かを判定する（ステップＳ４３１）。
【０１２０】
制御部２０は、予約されているジョブの中にモノクロ／カラー混載画像による画像形成を行うジョブが含まれていると判定したときは（ステップＳ４３１：Ｙ）、モノクロ／カラー混載画像による画像形成を行うジョブがモノクロ画像による画像形成を行うジョブ及びカラー画像による画像形成を行うジョブに優先して実行されるようにジョブの実行順序を入れ替えた後（ステップＳ４３２）、ステップＳ４２６の処理を実行する。一方、制御部２０は、予約されているジョブの中にモノクロ／カラー混載画像による画像形成を行うジョブが含まれていると判定しないときは（ステップＳ４３１：Ｎ）、ステップＳ４０１の処理を実行する。
【０１２１】
また、制御部２０は、ステップＳ４２６において、第１画像形成装置１００及び第２画像形成装置２００が画像形成可能な状態であると判定しないときは（ステップＳ４２６：Ｎ）、モノクロ機である第１画像形成装置１００が画像形成可能な状態であるか否かを判定する（ステップＳ４３３）。
【０１２２】
制御部２０は、第１画像形成装置１００が画像形成可能な状態であると判定したときは（ステップＳ４３３：Ｙ）、予約されているジョブの中にモノクロ画像による画像形成を行うジョブが含まれているか否かを判定する（ステップＳ４３４）。
【０１２３】
制御部２０は、予約されているジョブの中にモノクロ画像による画像形成を行うジョブが含まれていると判定したときは（ステップＳ４３４：Ｙ）、モノクロ画像による画像形成を行うジョブがカラー画像による画像形成を行うジョブ及びモノクロ／カラー混載画像による画像形成を行うジョブに優先して実行されるようにジョブの実行順序を入れ替えた後（ステップＳ４３５）、ステップＳ４０３の処理を実行する。一方、制御部２０は、予約されているジョブの中にモノクロ画像による画像形成を行うジョブが含まれていると判定しないときは（ステップＳ４３４：Ｎ）、ステップＳ４２６の処理を実行する。
【０１２４】
また、制御部２０は、ステップＳ４３３において、第１画像形成装置１００が画像形成可能な状態であると判定しないときは（ステップＳ４３３：Ｎ）、図１１に示すように、カラー機である第２画像形成装置２００が画像形成可能な状態であるか否かを判定する（ステップＳ４３６）。
【０１２５】
制御部２０は、第２画像形成装置２００が画像形成可能な状態であると判定したときは（ステップＳ４３６：Ｙ）、予約されているジョブの中にカラー画像による画像形成を行うジョブが含まれているか否かを判定する（ステップＳ４３７）。一方、制御部２０は、第２画像形成装置２００が画像形成可能な状態であると判定しないときは（ステップＳ４３６：Ｎ）、ステップＳ４２６の処理を実行する。
【０１２６】
制御部２０は、ステップＳ４３７において、予約されているジョブの中にカラー画像による画像形成を行うジョブが含まれていると判定したときは（ステップＳ４３７：Ｙ）、カラー画像による画像形成を行うジョブがモノクロ画像による画像形成を行うジョブ及びモノクロ／カラー混載画像による画像形成を行うジョブに優先して実行されるようにジョブの実行順序を入れ替えた後（ステップＳ４３８）、ステップＳ４１６の処理を実行する。一方、制御部２０は、予約されているジョブの中にカラー画像による画像形成を行うジョブが含まれていると判定しないときは（ステップＳ４３７：Ｎ）、ステップＳ４２６の処理を実行する。
【０１２７】
次に、上述したようにして構成された画像形成システム１で、ジョブが複数予約された場合に、画像形成システム１を効率よく動作させるためにジョブの順序を入れ替える例について図１２〜図１５を参照しながら説明する。
【０１２８】
例えば、図１２（Ａ）に示すように、カラー画像による画像形成を行うカラー画像ジョブと、モノクロ画像による画像形成を行うモノクロ画像ジョブとの実行が、交互に受け付けられた場合であって、カラー機である第２画像形成装置２００がモノクロ機である第１画像形成装置１００よりも先に動作可能である場合には、最初に第２画像形成装置２００を動作させてカラー画像ジョブを全て実行した後に、第１画像形成装置１００を動作させてモノクロ画像ジョブを実行すると効率のよいことがある。そのため、図１２（Ｂ）に示すように、１番目、３番目及び５番目に受け付けられたカラー画像ジョブが２番目及び４番目に受け付けられたモノクロ画像ジョブに優先して実行されるようにジョブの順序を入れ替え、これに従ってジョブを実行する。このとき、５番目に受け付けられたカラー画像ジョブが終了した後、第２画像形成装置２００の動作を停止させることにより、電力消費効率を高めることができる。
【０１２９】
また、図１３（Ａ）に示すように、カラー画像による画像形成を行うカラー画像ジョブと、モノクロ画像による画像形成を行うモノクロ画像ジョブとの実行が、交互に受け付けられた場合であって、モノクロ機である第１画像形成装置１００がカラー機である第２画像形成装置２００よりも先に動作可能である場合には、最初に第１画像形成装置１００を動作させてモノクロ画像ジョブを全て実行した後に、第２画像形成装置２００を動作させてカラー画像ジョブを実行すると効率のよいことがある。そのため、図１３（Ｂ）に示すように、２番目及び４番目に受け付けられたモノクロ画像ジョブが１番目、３番目及び５番目に受け付けられたカラー画像ジョブに優先して実行されるようにジョブの順序を入れ替え、これに従ってジョブを実行する。このとき、４番目に受け付けられたモノクロ画像ジョブが終了した後、第１画像形成装置１００の動作を停止させることにより、電力消費効率を高めることができる。
【０１３０】
また、図１４（Ａ）に示すように、カラー画像ジョブの実行中にカラー画像ジョブ及びモノクロ画像ジョブの実行がそれぞれ複数受け付けられた場合、カラー画像ジョブを全て実行した後に、第１画像形成装置１００を動作させてモノクロ画像ジョブを実行すると効率のよいことがある。そのため、図１４（Ｂ）に示すように、３番目及び４番目に受け付けられたカラー画像ジョブが２番目及び５番目に受け付けられたモノクロ画像ジョブに優先して実行されるようにジョブの順序を入れ替え、これに従ってジョブを実行する。このとき、４番目に受け付けられたカラー画像ジョブが終了した後、第２画像形成装置２００の動作を停止させることにより、電力消費効率を高めることができる。
【０１３１】
また、図１５（Ａ）に示すように、モノクロ画像ジョブの実行中にカラー画像ジョブ及びモノクロ画像ジョブの実行がそれぞれ複数受け付けられた場合、モノクロ画像ジョブを全て実行した後に、第２画像形成装置２００を動作させてカラー画像ジョブを実行すると効率のよいことがある。そのため、図１５（Ｂ）に示すように、３番目及び４番目に受け付けられたモノクロ画像ジョブが２番目及び５番目に受け付けられたカラー画像ジョブに優先して実行されるようにジョブの順序を入れ替え、これに従ってジョブを実行する。このとき、４番目に受け付けられたモノクロ画像ジョブが終了した後、第１画像形成装置１００の動作を停止させることにより、電力消費効率を高めることができる。
【０１３２】
以上説明したように、本実施の形態によれば、画像形成部１２１，２２１は、用紙に画像を形成する。メイン搬送路１２０ａ，２２０ａは、画像形成部１２１，２２１に用紙を搬送させる。バイパス搬送部１８０，２８０は、メイン搬送路１２０ａ，２２０ａとは別の搬送路であって画像形成部１２１，２２１を経由しないバイパス搬送路１８０ａ，２８０ａに用紙を搬送させる。制御部１１０，２１０は、複数の画像形成装置１００，２００のうちの自機以外の他機のバイパス搬送部１８０，２８０を制御する。その結果、用紙をバイパス搬送する画像形成装置において、画像形成部の動作を停止させて用紙をバイパス搬送することができ、電力消費効率を向上させることができるようになる。
【０１３３】
また、本実施の形態によれば、電源部１６０，２６０は、自機以外の他機のバイパス搬送部１８０，２８０に電源の供給を行う。その結果、用紙をバイパス搬送する画像形成装置において、電源の供給を不要とすることができるので、電力消費効率をより向上させることができるようになる。
【０１３４】
また、本実施の形態によれば、大容量給紙装置５００は、第１画像形成装置１００及び第２画像形成装置２００に用紙を供給する。後処理装置６００は、第１画像形成装置１００及び第２画像形成装置２００によって画像が形成された用紙に所定の後処理を施す。第１画像形成装置１００及び第２画像形成装置２００のうち画像形成部１２１，２２１を動作させる画像形成装置の制御部１１０，２１０は、大容量給紙装置５００及び後処理装置６００を制御する。その結果、製品コストを削減するために複数の画像形成装置で給紙装置や後処理装置を共用する場合に、適正に動作させることができるようになる。
【０１３５】
また、本実施の形態によれば、第１画像形成装置１００及び第２画像形成装置２００は、単色にて用紙に画像を形成するモノクロ画像形成部を備えたモノクロ画像形成装置と、複数色にて用紙に画像を形成するがカラー画像形成部を備えたカラー画像形成装置とを含む。第１画像形成装置１００及び第２画像形成装置２００の何れか一方の画像形成装置の制御部１１０，２１０は、他方の画像形成装置のバイパス搬送部１８０，２８０を制御する。その結果、モノクロ画像形成装置とカラー画像形成装置とによって画像形成システムを構成した場合に、用紙をバイパス搬送する画像形成装置において、画像形成部の動作を停止させて用紙をバイパス搬送することができ、電力消費効率を向上させることができるようになる。
【０１３６】
また、本実施の形態によれば、第１画像形成装置１００及び第２画像形成装置２００の何れか一方の画像形成装置の画像形成部１２１，２２１を動作させるとき、当該動作させる画像形成装置の画像形成部１２１，２２１への電源の供給を行うとともに他方の画像形成装置のバイパス搬送部１８０，２８０の制御を行う一方、他方の画像形成装置の画像形成部１２１，２２１への電源の供給を停止させる。その結果、用紙をバイパス搬送する画像形成装置において、電源の供給を停止することで、電力消費効率をより向上させることができるようになる。
【０１３７】
また、本実施の形態によれば、制御部２０は、複数のジョブの予約を受付、該予約を受け付けた複数のジョブの実行順序を第１画像形成装置１００及び第２画像形成装置２００の動作状態に応じて入れ替える。その結果、電力消費効率をより向上させて複数のジョブを実行することができるようになる。
【０１３８】
なお、本発明の実施の形態における記述は、本発明に係る画像形成システムの一例であり、これに限定されるものではない。画像形成システムを構成する各機能部の細部構成及び細部動作に関しても適宜変更可能である。
【０１３９】
また、本実施の形態では、バイパス搬送部に対する制御及び電源の供給を他機により行うようにしたが、バイパス搬送部に対する制御のみ他機が行い、電源の供給は自機によって行うようにしてもよい。これによっても、バイパス搬送を行う画像形成装置において用紙の搬送にかかる制御が不要となり、電力の消費を抑制することができる。
【０１４０】
また、本実施の形態では、第１画像形成装置１００と第２画像形成装置２００との両方にバイパス搬送部１８０，２８０を設けたが、何れか一方の画像形成装置のみに設けられた態様であってもよい。
【０１４１】
また、本実施の形態において、ページ毎にモノクロ画像による画像形成かカラー画像による画像形成かを設定可能にし、これに基づいて第１画像形成装置１００及び第２画像形成装置２００の何れで画像形成を行うかを決定するようにしてもよい。
【０１４２】
また、本実施の形態において、画像読取部５０は、読み取った原稿からモノクロ画像とカラー画像との何れであるかを認識し、これに基づいて、読み取った原稿に基づく画像形成を第１画像形成装置１００及び第２画像形成装置２００の何れで行うかを決定するようにしてもよい。
【０１４３】
また、本実施の形態では、ジョブが複数予約された場合には、第１画像形成装置１００及び第２画像形成装置２００のうち、先に動作可能である画像形成装置を動作させて、モノクロ画像ジョブ及びカラー画像ジョブの何れかを優先させて実行するようにしたが、モノクロ画像ジョブ及びカラー画像ジョブのうち、予約された数の多いものから実行するようにしてもよい。
【０１４４】
また、本実施の形態では、同一の画像形成装置にて画像形成が連続して実行されるようにジョブの入れ替えを行うようにしたが、ジョブの入れ替えを行うか否かを設定可能にしてもよい。また、ジョブの入れ替えを行わないようにしてもよい。
【０１４５】
また、本実施の形態では、２つの画像形成装置のうちの何れか一方をモノクロ画像形成装置とし、他方をカラー画像形成装置としたが、２つの画像形成装置の何れもモノクロ画像形成装置又はカラー画像形成装置としてもよい。
【０１４６】
また、本実施の形態では、２つの画像形成装置によって画像形成システムを構成しているが、３つ以上の画像形成装置によって画像形成システムを構成するようにしてもよい。
【０１４７】
また、本実施の形態では、大容量給紙装置５００を備える構成としているが、給紙装置を備えない構成であってもよい。
また、本実施の形態では、後処理装置６００を備える構成としているが、後処理装置を備えない構成であってもよい。
【０１４８】
また、本実施の形態では、本発明に係るプログラムのコンピュータ読み取り可能な媒体としてハードディスクや半導体の不揮発性メモリー等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【符号の説明】
【０１４９】
１  画像形成システム
１０  プリンタコントローラー
２０  制御部（ジョブ実行制御部）
３０  第１電源制御部
４０  第２電源制御部
１００  第１画像形成装置（モノクロ画像形成装置）
１１０  制御部
１２０  プリント部
１２０ａ  メイン搬送路
１２１  画像形成部（モノクロ画像形成部）
１５０  電源スイッチ
１６０  電源部
１８０  バイパス搬送部
１８０ａ  バイパス搬送路
２００  第２画像形成装置（カラー画像形成装置）
２１０  制御部
２２０  プリント部
２２０ａ  メイン搬送路
２２１  画像形成部（カラー画像形成部）
２５０  電源スイッチ
２６０  電源部
２８０  バイパス搬送部
２８０ａ  バイパス搬送路
５００  大容量給紙装置（給紙装置）
６００  後処理装置
【図１】
2014071181.tif 000003
【図２】
2014071181.tif 000004
【図３】
2014071181.tif 000005
【図４】
2014071181.tif 000006
【図５】
2014071181.tif 000007
【図６】
2014071181.tif 000008
【図７】
2014071181.tif 000009
【図８】
2014071181.tif 000010
【図９】
2014071181.tif 000011
【図１０】
2014071181.tif 000012
【図１１】
2014071181.tif 000013
【図１２】
2014071181.tif 000014
【図１３】
2014071181.tif 000015
【図１４】
2014071181.tif 000016
【図１５】
2014071181.tif 000017